(57)【特許請求の範囲】
【請求項１】
ゲームをスタートさせるための操作を受け付け可能な操作ユニットを備える遊技機において、
前記操作ユニットは、
遊技者が前記操作を行うための操作部と、
前記操作を検出するための所定の電子部品と、
前記電子部品の少なくとも一部を覆う状態で取り付けられるとともに、塑性変形可能な樹脂で形成されるカバーと、
前記カバーが取り付けられる固定側部材と、
前記カバーに設けられる係止部が前記固定側部材に設けられる被係止部に係止することで、前記カバーをこじ開けようとした場合に、前記カバーの少なくとも一部が破壊または変形することでこじ開けようとした痕跡を識別可能に残す封印構造と、を備え、
前記電子部品は、前記操作部の中心の延長線上に対応する位置に配置され、
前記係止部及び被係止部は、前記操作部の中心の延長線上から外れた位置に設けられ、
前記係止部が、前記被係止部に係止する爪部からなり、
前記爪部の根元が、前記カバーをこじ開けようとした場合に変形する脆弱部である
ことを特徴とする遊技機。
【請求項２】
前記カバーは、カバー内側のスペースを拡張するための外方に膨出する膨出部を備え、
前記膨出部は、外方に向かって窄まる錐台状に形成されたことを特徴とする請求項１記載の遊技機。
【発明の詳細な説明】
【技術分野】
【０００１】
本発明は、遊技機に設けられるセンサ、基板など部品を外部からアクセス不能にカバーするときに適用されるカバー構造に関し、特に、カバーをこじ開けようとした痕跡を識別可能に残すカバー構造を備える遊技機に関する。
【背景技術】
【０００２】
一般に、スロットマシン、パチンコなどの遊技機では、遊技者の操作や遊技媒体を検出するセンサ、所定の電子部品を実装した基板等の部品が備えられている。
これらのセンサ、基板等の部品は、不正行為者による違法部品との交換や改造、不正部品の追加、接続など、悪質な不正行為の標的となっており、その被害は深刻なものとなっている。
【０００３】
例えば、スロットマシンでは、遊技者の操作を検出するセンサに不正部品が取り付けられることがある。
スロットマシンは、リールの回転を始動させるスタートレバーやリールの回転を停止させる停止ボタン等の遊技者が操作する操作部を備え、これらの操作部には、遊技者の操作を検出するセンサが設けられている。これらのセンサにおいて検出された入力信号は、センサに接続された接続ケーブルを介して、スロットマシンを制御する主基板に入力されることで、主基板に遊技者の入力操作が伝達され、一連の遊技が進行するようになっている。
【０００４】
このようなスロットマシンにおいて、遊技者の操作に伴う上記のセンサで検出された所定の信号を擬似的に発生させる、いわゆる「打ち込み機」と称する不正部品が取り付けられる場合がある。
「打ち込み機」は、これらの遊技者の操作に係る入力信号を擬似的に発生させる不正部品で、例えば、スタートレバーに対応するセンサを不正部品と交換し、擬似的なスタート信号を発振させ、この擬似信号を主基板に入力することで、一連の遊技を自動で進行させることができる。
その結果、例えば、ビッグボーナスの当せんを検出したときに、「打ち込み機」の作動を停止することで、スロットマシンを有利な遊技状態とすることができてしまう。
【０００５】
このような不正部品の取り付けを排除する技術として、例えば、特許文献１には、スタートレバーに対応するセンサを覆うカバーと、このセンサの接続ケーブルを覆うカバーとを備えるとともに、これらを取り外し不能に係止させるカバー構造の技術が提案されている。
このカバー構造では、ネジ止め箇所を、はめ殺しされるキャップで覆うように構成され、カバーを取り外すためには、このキャップを破壊しなければならないことから、キャップの破壊により、カバー開封の痕跡が残るようになっている。
【先行技術文献】
【特許文献】
【０００６】
【特許文献１】特開２００９−１８１１３号公報
【発明の概要】
【発明が解決しようとする課題】
【０００８】
本発明は、カバーをこじ開けようとすると痕跡が残るように構成されたカバー構造を備える遊技機の提供を目的とする。
【課題を解決するための手段】
【０００９】
上記目的を達成するため本発明の遊技機は、ゲームをスタートさせるための操作を受け付け可能な操作ユニットを備える遊技機において、前記操作ユニットは、遊技者が前記操作を行うための操作部と、前記操作を検出するための所定の電子部品と、前記電子部品の少なくとも一部を覆う状態で取り付けられるとともに、塑性変形可能な樹脂で形成されるカバーと、前記カバーが取り付けられる固定側部材と、前記カバーに設けられる係止部が前記固定側部材に設けられる被係止部に係止することで、前記カバーをこじ開けようとした場合に、前記カバーの少なくとも一部が破壊または変形することでこじ開けようとした痕跡を識別可能に残す封印構造と、を備え、前記電子部品は、前記操作部の中心の延長線上に対応する位置に配置され、前記係止部及び被係止部は、前記操作部の中心の延長線上から外れた位置に設けられ、前記係止部が、前記被係止部に係止する爪部からなり、前記爪部の根元が、前記カバーをこじ開けようとした場合に変形する脆弱部である構成としてある。
【図面の簡単な説明】
【００１１】
【図１】本発明の実施形態に係るカバー構造が適用されるスタートレバーユニットを示し、（ａ）は、正面図、（ｂ）は、Ａ−Ａ断面図である。
【図２】本発明の実施形態に係るカバー構造が適用されるスタートレバーユニットを後方から見た分解斜視図である。
【図３】本発明の実施形態に係るカバーを示し、（ａ）は、表面斜視図、（ｂ）は、裏面斜視図である。
【図４】本発明の実施形態に係る、こじ開け力を加えられたときのカバーと固定側部品との動作を説明するための説明図であり、（ａ）は、カバーと固定側部品との組み立て平面図、（ｂ）は、Ｂ−Ｂ断面図、（ｃ）は、突片のみのＢ−Ｂ断面図である。
【図５】本発明の実施形態に係る、こじ開け力を加えられたときのカバーと固定側部品との動作を説明するための説明図であり、（ａ）は、カバーと固定側部品との組み立て平面図、（ｂ）は、Ｃ−Ｃ断面図、（ｃ）は、突片のみのＣ−Ｃ断面図である。
【図６】本発明の実施形態に係る、こじ開け力を加えられたときのカバーと固定側部品との動作を説明するための説明図であり、（ａ）は、カバーと固定側部品との組み立て平面図、（ｂ）は、Ｄ−Ｄ断面図、（ｃ）は、突片（爪部）のみのＤ−Ｄ断面図である。
【発明を実施するための形態】
【００１２】
以下、本発明の実施形態について、図面を参照して説明する。
図１は、本発明の実施形態に係るカバー構造が適用されるスタートレバーユニット１を示し、（ａ）は正面図、（ｂ）はＡ−Ａ断面図、図２は、スタートレバーユニット１の分解斜視図、図３は、本発明の実施形態に係るカバー５０を示し、（ａ）は、表面斜視図、（ｂ）は、裏面斜視図である。
【００１３】
これらの図に示すように、本発明の実施形態に係るカバー構造が適用されるスタートレバーユニット１は、スロットマシンに取り付けられる部品であり、遊技者がレバーを叩き、揺動させることによりリールの回転を始動させる操作部として構成されている。
【００１４】
スタートレバーユニット１には、レバーの揺動を検出するためのセンサ４１が内蔵されており、このセンサ４１が不正改造等の対象となる部品となっている。
そこで、本発明のカバー構造では、このセンサ４１を外部からアクセス不能に保護するカバー５０を設けるとともに、このカバー５０をこじ開けようとして力を加えると、この力による影響をカバー表面に出現させるとともに、その痕跡が残るようになっている。
以下、スタートレバーユニット１を構成する各部品について説明する。
【００１５】
スタートレバーユニット１は、遊技者によって叩き操作されるレバー１０と、レバー１０に連結された連結ピン１１と、連結ピン１１を揺動可能に支持するベース２０と、ベース２０の表側を覆う化粧ケース３０と、センサ４１を収容するスペーサ４０と、スペーサ４０の後方からセンサ４１を覆うカバー５０と、を備え、図１におけるベース２０と化粧ケース３０との間を境にして、右側がスロットマシンの操作パネルから突出し、左側が操作パネルに埋設されるように取り付けられる。
【００１６】
このような構成からなるスタートレバーユニット１において、カバー５０がセンサ４１を覆う、本発明のカバー構造に係るカバーとして機能するとともに、スペーサ４０がカバー５０の固定される固定側部品として機能するようになっている。
以下、スペーサ４０と、カバー５０について詳しく説明する。
【００１７】
スペーサ４０は、センサ４１を支持しながら包囲する部品であり、略有底筒状に形成された合成樹脂製の射出成形品である。
スペーサ４０には、ボス固定部４０１、センサ挿入部４０２、爪係止孔４０３、突片挿入孔４０４、カバー囲い部４０５が形成されている。
【００１８】
ボス固定部４０１は、ネジ４２の頭部のみ挿通不能な孔を有する部分であり、ネジ４２をこの孔を介してボス２０１に形成されたネジ穴に螺着させることで、スペーサ４０をベース２０に固定させることができる。
センサ挿入部４０２は、センサ４１とほぼ等しい外形で開口された開口部であり、図２に示すように、右方から挿入されるセンサ４１を揺動不能に固定する。このセンサ４１は、フォトインタラプタで構成され、連結ピン１１の揺動を、遮光／通光により検知可能な位置に固定される（図１（ｂ）参照）。
【００１９】
爪係止孔４０３は、カバー５０に形成された爪部５０１より小さい外形で開口された開口部であり、図２に示すように、右方から挿入される爪部５０１が弾性変形しながら通過し、通過後、復元した爪部５０１が爪係止孔４０３の裏面側に係止される。
この係止により、爪部５０１を圧縮操作しない限り、カバー５０をスペーサ４０から脱抜させることはできない。さらに、この係止状態の爪部５０１は、ベース２０及びスペーサ４０に包囲されるので、カバー５０は脱抜不能にはめ殺しされる。
【００２０】
また、爪係止孔４０３の内側には、本発明に係る当接面４０３ａが形成されている。
当接面４０３ａは、爪部５０１の弾性変形する方向と異なる、対向する二面に配置され、これらが爪部５０１を挟持するように囲むことで、図２において上下方向への爪部５０１の移動を規制する。
これにより、カバー５０をこじ開けようとすると、こじ開け力が爪部５０１に伝わるとともに、爪部５０１が当接面４０３ａを押圧するので、その結果、当接面４０３ａがこの押圧力に抗する抗力で、爪部５０１を押圧するようになっている（図６参照）。
【００２１】
突片挿入孔４０４は、カバー５０に形成された突片５０２の断面とほぼ同じ外形で開口された開口部であり、図２に示すように、右方から突片５０２が嵌入される。
突片挿入孔４０４の内側には、本発明に係る当接面４０４ａが形成されている。
当接面４０４ａは、突片５０２を囲む四面に配置され、これらが嵌入方向と直交する方向への突片５０２の移動を規制する。
これにより、カバー５０をこじ開けようとすると、こじ開け力が突片５０２に伝わるとともに、突片５０２が当接面４０４ａを押圧するので、その結果、当接面４０４ａがこの押圧力に抗する抗力で、突片５０２を押圧するようになっている（図４、５参照）。
カバー囲い部４０５は、カバー５０の側面をほぼ隙間なく囲む壁部であり、工具等の侵入を阻止することで、カバー５０をこじ開けから保護する。
【００２２】
カバー５０は、センサ４１の後端部を覆う部品であり、略板状に形成された無色透明な合成樹脂製（ＡＢＳ）の射出成形品である。
合成樹脂であるＡＢＳ（アクリロニトリル・ブタジエン・スチレン）は、常温では透明の固体として存在するものの、曲げ外力を加えるとその部分は白化し不透明になる特性を有している。これにより、その白色痕を、こじ開け力の痕跡とすることができる。
また、カバー５０には、封印部５１、爪部５０１、突片５０２、膨出部５０３、脆弱部５０５が形成されている。
【００２３】
封印部５１は、開口部５１０（直径１０ｍｍ）をベースとして、この開口部５１０を閉鎖するように形成されている。また、この封印部５１は、ボス固定部４０１と対向する位置に形成され、ネジ４２の頭部へのアクセスを妨げるようになっている。このような封印部５１は、封印片５１１と橋架部５１２と孔部５１３とから構成されている。
【００２４】
封印片５１１は、有底筒状（直径４ｍｍ×高さ５ｍｍ）に形成された部分で、ネジ４２の頭部を遮るように、開口部５１０の中心であって、ネジ４２の頭部の中心と対向する位置に配置されている。つまり、封印片５１１は、ネジ４２の頭部へのアクセスを妨げるように作用する。
【００２５】
孔部５１３は、開口部５１０の一部であるものの、橋架部５１２は、開口部５１０周縁から封印片５１１を３点支持するように、これらの間に架設形成され、それぞれが、封印片５１１を中心として放射状に等角度間隔で配置されている。
橋架部５１２は、カバー表面５０ａにおいて、開口部５１０周縁と封印片５１１とを面一につなぎ、開口部５１０周縁から封印片５１１を支持する。また、カバー裏面５０ｂにおいては、封印片５１１よりも薄肉に形成されている（図５（ｂ）参照）。
さらに、橋架部５１２は、均一な渡り幅で封印片５１１を支持するのではなく、渡り幅の狭い部分を形成することで、部分的に脆弱化されている。
【００２６】
このように、橋架部５１２は、封印片５１１を３点のみで支持するとともに、封印片５１１よりも薄肉、脆弱形成されているので、橋架部５１２を、所定の剪断工具（例えば、ニッパーなど）で切断したり、封印片５１１をドライバ等で押圧したりすることで、橋架部５１２が切断され、封印片５１１を開口部５１０周縁から容易に分断することができるようになっている。
開口部５１０周縁から分断された封印片５１１は、以下のような作用を有する。
【００２７】
橋架部５１２を、所定の剪断工具（例えば、ニッパーなど）で切断したり、封印片５１１をドライバ等で押圧したりすることで、封印片５１１を開口部５１０周縁から分断すると、分断された封印片５１１は、開口部５１０にとどまる。これは、ドライバ等での押圧力は勿論のこと、剪断工具での切断力においても（特に、刃を閉じるときの押し出し力）、封印片５１１を、開口部５１０内に押し込むように作用するので、重力の働く向きに関係なく、分断された封印片５１１は開口部５１０内に押し込められるからである。
また、本実施形態のカバー５０は、カバー表面５０ａが重力方向に沿うように取り付けられるとともに（図２参照）、封印片５１１は、ネジ４２の頭部側に突出し、ネジ４２の頭部側に重心を有していることから、その自重は、封印片５１１を開口部５１０内に押し込めるように作用することになる。
【００２８】
このように、分断された封印片５１１が開口部５１０内にとどまることで、封印片５１１がネジ４２の頭部を覆うことになる（図５（ｂ）参照）。
さらに、ボス固定部４０１には、ネジ４２の頭部を囲む壁面が形成されるとともに、この壁面が分断された封印片５１１の開口部５１０内での移動を規制しているので、封印片５１１が障害物となり、ネジ４２の頭部へのドライバの到達が妨げられ、カバー５０開封に至るまでの時間を引き延ばすことができる。
【００２９】
また、分断された封印片５１１はネジ４２の頭部を覆うのみならず、この封印片５１１を開口部５１０から取り出し難くすることで、さらに、カバー５０開封に至るまでの時間を引き延ばすようになっている。
具体的には、橋架部５１２は、所定の剪断工具で切断したり、封印片５１１をドライバ等で押圧したりすることで、容易に切断されるものの、開口部５１０周縁には、橋架部５１２の切り残しが形成されることになる。
【００３０】
この切り残しは、カバー５０開封の痕跡となるだけでなく、開口部５１０周縁から開口部５１０の中心に向かって３方向から延出形成されるため、開口部５１０からの封印片５１１の取り出しを妨げるように作用することになる。
その結果、延出した切り残しが障害となり、封印片５１１の取り出しをさらに困難にさせることになる。
このように、本実施形態では、カバー５０をこじ開けずに、封印部５１による封印を解除して、センサ４１にアクセスしようとする場合にも、カバー５０開封に至るまでの時間を引き延ばすことで、不正行為の発生を抑制するようになっている。
【００３１】
爪部５０１は、カバー裏面５０ｂから突出形成され、先端部が弾性変形可能な矢じり状に形成された部分であり、爪係止孔４０３に係止される。この爪部５０１は、係止手段であるものの、本発明の突片としても機能する。
突片５０２は、カバー裏面５０ｂから突出形成された板状のリブで、突片挿入孔４０４に嵌入される。
【００３２】
膨出部５０３は、外方（図２中右方）に膨出した部分であり、その内側の凹部５０４にセンサ４１のコネクタやこれに接続されるハーネス等を収容する。
この膨出部５０３は、外方に向かって窄まる錐台状（高さ約５ｍｍ）に形成され、摘み難い形状にしてある。これにより、カバー５０をこじ開けようとする行為を抑制できる。
また、さらに摘み難くするために、対向する二面を有しない、略円錐台状に形成してある。
【００３３】
脆弱部５０５は、爪部根元５０１ａ、突片根元５０２ａの周辺部分であり、本実施形態では、所定の板厚（例えば、０．５ｍｍ）で薄肉形成された部分である。このような脆弱部５０５を、爪部根元５０１ａ、突片根元５０２ａの周辺に設けることで、以下の作用効果を発揮する。
【００３４】
カバー５０をこじ開けようとすると、このこじ開け力は、爪部５０１、突片５０２に伝達される。爪部５０１は爪係止孔４０３により、また、突片５０２は突片挿入孔４０４により移動が規制されていることから、このこじ開け力を受けた爪部５０１と突片５０２は、それぞれ当接面４０３ａ，４０４ａに当接してこれらから抗力を受ける。
爪部５０１と突片５０２はそれぞれカバー裏面５０ｂから突出形成されていることから、当接面４０３ａ，４０４ａからの抗力は、爪部５０１と突片５０２を、片持ち梁のように撓ませようとするものの、これらは当接面４０３ａ，４０４ａで動きが規制されているため、爪部５０１と突片５０２とは弾性変形できない。そうすると、この抗力は、爪部５０１と突片５０２を、その突出形成されている根元から引き裂こうとする力として作用する。
【００３５】
そこで、爪部根元５０１ａ、突片根元５０２ａの周辺に、塑性変形し易い脆弱部５０５を設けておけば、その効力は、それぞれの根元５０１ａ，５０２ａに集中して作用することになり、脆弱部５０５が最初に抗力を吸収しようとして、破断、破壊されることになる。
また、カバー５０は、爪部根元５０１ａ、突片根元５０２ａの周辺を含めすべて無色透明で形成されていることから、脆弱部５０５の破断痕、破壊痕などの塑性変形痕がカバー５０の表側に現れる。
さらに、カバー５０は、曲げ外力を加えると白化する材料（例えば、ＡＢＳ樹脂）で形成されていることから、破断痕、破壊痕は白色痕を伴うので、こじ開けようとした痕跡を明確に残すことができる。
【００３６】
このようにカバー裏面５０ｂから突出形成される爪部５０１、突片５０２と、こじ開け力によりこれらの当接する当接面４０３ａ，４０４ａと、効力の集中する爪部根元５０１ａ、突片根元５０２ａの周辺に脆弱部５０５とを備えることで、カバー５０がこじ開け力を受けることで、これらが相互に作用し合い、カバー表面５０ａから脆弱部５０５の破断痕、破壊痕などの塑性変形痕が識別できるようになっている。
以下、具体的にこじ開け力Ｆ１〜Ｆ４を加えたときの、爪部５０１、突片５０２と、当接面４０３ａ，４０４ａと、脆弱部５０５の動作について、図４〜図６を参照しながら説明する。
【００３７】
図４は、ポイントＰ１，Ｐ２にこじ開け力Ｆ１、Ｆ２を加えたときの、突片５０２と当接面４０４ａの動作を説明する図であり、（ａ）は、スペーサ４０とカバー５０との組み立て平面図、（ｂ）は、Ｂ−Ｂ断面図、（ｃ）は、突片５０２のみのＢ−Ｂ断面図である。
この例は、ポイントＰ１，Ｐ２にマイナスのドライバ等を差込み、カバー５０をこじ開けようとした場合を想定した説明図である。
【００３８】
Ｐ１又はＰ２からこじ開け力Ｆ１又はＦ２をカバー５０に加えると、突片５０２は、このこじ開け力Ｆ１又はＦ２を受けて、当接面４０４ａに当接し、この面を押圧するので、この当接面４０４ａから抗力Ｎ１又はＮ２を受ける。
抗力Ｎ１又はＮ２を受けた突片５０２は、撓もうとするものの、当接面４０４ａにより動きが規制されているので、変形することはできない。
そうすると、抗力Ｎ１又はＮ２は、突片５０２を、その突出形成されている根元から引き裂こうとする力として作用し、脆弱な部分である、薄肉形成された脆弱部５０５に集中する。
脆弱部５０５は、抗力に対抗しようとするものの、弾性領域を超える抗力が加わると、破断、破壊などの塑性変形が生じることになり、その痕跡はカバー表面５０ａに表れることになる。特に、突片根元５０２ａであって、突片５０２とカバー裏面５０ｂとの繋ぎ目に、エッジ（角）を形成してあるので、ここから亀裂が生じ易くなり、塑性変形が助長されることになる。
【００３９】
図５は、ポイントＰ３，Ｐ４にこじ開け力Ｆ３、Ｆ４を加えたときの、突片５０２と当接面４０４ａの動作を説明する図であり、（ａ）は、スペーサ４０とカバー５０との組み立て平面図、（ｂ）は、Ｃ−Ｃ断面図、（ｃ）は、突片５０２のみのＣ−Ｃ断面図である。
この例は、ポイントＰ３，Ｐ４にマイナスのドライバ等を差込み、カバー５０をこじ開けようとした場合を想定した説明図である。
【００４０】
Ｐ３又はＰ４からこじ開け力Ｆ３又はＦ４をカバー５０に加えると、突片５０２は、このこじ開け力Ｆ３又はＦ４を受けて、当接面４０４ａに当接し、この面を押圧するので、この当接面４０４ａから抗力Ｎ３又はＮ４を受ける。
抗力Ｎ３又はＮ４を受けた突片５０２は、撓もうとするものの、当接面４０４ａにより動きが規制されているので、変形することはできない。
そうすると、抗力Ｎ３又はＮ４は、突片５０２を、その突出形成されている根元から引き裂こうとする力として作用し、脆弱な部分である、薄肉形成された脆弱部５０５に集中する。
脆弱部５０５は、抗力に対抗しようとするものの、弾性領域を超える抗力が加わると、破断、破壊などの塑性変形が生じることになり、その痕跡はカバー表面５０ａに表れることになる。特に、突片根元５０２ａであって、突片５０２とカバー裏面５０ｂとの繋ぎ目に、エッジ（角）を形成してあるので、ここから亀裂が生じ易くなり、塑性変形が助長されることになる。
【００４１】
図６は、ポイントＰ２にこじ開け力Ｆ２を加えたときの、爪部５０１と当接面４０３ａの動作を説明する図であり、（ａ）は、スペーサ４０とカバー５０との組み立て平面図、（ｂ）は、Ｄ−Ｄ断面図、（ｃ）は、爪部５０１のみのＤ−Ｄ断面図である。
この例は、ポイントＰ２にマイナスのドライバ等を差込み、カバー５０をこじ開けようとした場合を想定した説明図である。
【００４２】
Ｐ２からこじ開け力Ｆ２をカバー５０に加えると、爪部５０１は、このこじ開け力Ｆ２を受けて、当接面４０３ａに当接し、この面を押圧するので、この当接面４０３ａから抗力Ｎ２を受ける。
抗力Ｎ２を受けた爪部５０１は、撓もうとするものの、当接面４０３ａにより動きが規制されているので、変形することはできない。
そうすると、抗力Ｎ２は、爪部５０１を、その突出形成されている根元から引き裂こうとする力として作用し、脆弱な部分である、薄肉形成された脆弱部５０５に集中する。
脆弱部５０５は、抗力に対抗しようとするものの、弾性領域を超える抗力が加わると、破断、破壊などの塑性変形が生じることになり、その痕跡はカバー表面に表れることになる。特に、爪部根元５０１ａであって、爪部５０１とカバー裏面５０ｂとの繋ぎ目に、エッジ（角）を形成してあるので、ここから亀裂が生じ易くなり、塑性変形が助長されることになる。
【００４３】
以上説明したように、本実施形態のカバー構造によれば、カバー裏面５０ｂから突出形成される爪部５０１、突片５０２と、こじ開け力によりこれらの当接する当接面４０３ａ，４０４ａと、抗力の集中する爪部根元５０１ａ、突片根元５０２ａの周辺に脆弱部５０５とを備えることで、カバー５０がこじ開け力を受けることで、これらが相互に作用し合い、カバー表面５０ａから脆弱部５０５の破断痕、破壊痕などの塑性変形痕が識別できるようになっている。
【００４４】
また、本実施形態のようにカバー５０を平板状に形成することで、こじ開け力を、突出形成される爪部５０１、突片５０２の根元に直接伝えることができる。
例えば、カバー５０を茶筒の外蓋のように断面コの字状に形成してしまうと、こじ開け力は、最初に周囲の囲いの部分に伝わり分散してしまうが、本実施形態のようにカバー５０を平板状に形成することで、そのこじ開け力は、爪部根元５０１ａ、突片根元５０２ａに直接伝わるようになるからである。
これにより、こじ開け力は、爪部５０１、突片５０２を、その突出形成されている根元から引き裂こうとする力としてダイレクトに作用するので、僅かなこじ開け力でも、その痕跡を残すことができる。
【００４５】
以上のように構成された本発明によれば、カバーをこじ開けようとすると、カバー裏面に突出形成された突片がその力を受けるとともに、突片の根元に脆弱部を形成したことで、突片の根元は、透明なカバーであれば目視可能なので、こじ開け力の集中による脆弱部の破壊痕や破断痕などの変形痕を、カバー表面から確認できるので、カバーの破壊にまで至らなくも、カバーをこじ開けようする外力を加えた痕跡を明確に残すことができる。
【００４６】
さらに、カバーは、曲げ外力を加えると白化する材料（例えば、ＡＢＳ樹脂）で形成されていることから、破断痕、破壊痕は白色痕を伴うので、こじ開けようとした痕跡を明確に残すことができる。
また、このように、簡易な構造、少ない部品点数により、こじ開けようとした痕跡を確実に残すことができるので、カバー構造の汎用性を向上させ、セキュリティに掛けるコストも削減できる。
【００４７】
以上、本発明について、実施形態を示して説明したが、本発明は、上述した実施形態にのみ限定されるものではなく、特許請求の範囲内で種々の変更が可能であることはいうまでもない。
【００４８】
例えば、上記の実施形態では、脆弱部を、薄肉形成した部分としたが、例えば、突片の根元周辺に、複数の孔（φ０．５ｍｍ）を所定の間隔（例えば、１ｍｍ）で並べた切り取り部を形成し、この部分を脆弱部とすることもできる。
【００４９】
また、上記の実施形態では、カバーをＡＢＳ樹脂で形成したが、ポリカーボネート（ＰＣ）樹脂で形成することもできる。これによっても、ＡＢＳ樹脂よりも程度が少ないものの、曲げ外力を加えると白化するからである。また、ＡＢＳ樹脂よりも硬質なことから、破断しやすく、カバー表面から破断痕を確認することができる。
【００５０】
また、上記の実施形態では、本発明に係るカバー構造を、スタートレバーユニットに適用したが、遊技機に取り付けられる様々な部品を覆うカバー構造に適用できる。
具体的には、主基板、副基板などを含む基板類のカバー構造にも適用でき、例えば、二つの凹状ケースを嵌合させて主基板を収容する主基板ケースに適用する場合では、一方のケースを本発明のカバーとして構成し、他方のケースを本発明の固定側部品として構成することで、容易に実現することができる。
すなわち、一方のケースを透明ケースとするとともに、ケース裏面から突片を突出形成するとともに、この周辺に脆弱部を形成し、他方のケースには、当接面を形成することで、本発明に係るカバー構造を容易に実現することができる。
【産業上の利用可能性】
【００５１】
本発明は、遊技機に取り付けられる所定の部品を覆うカバーに好適に用いることができる。
【符号の説明】
【００５２】
１  スタートレバーユニット
１０  レバー
１１  連結ピン
２０  ベース
３０  化粧ケース
４０  スペーサ
４０３ａ，４０４ｂ  当接面
４１  センサ
５０  カバー
５１  封印部
５０１  爪部（突片）
５０１ａ  爪部根元
５０２  突片
５０２ａ  突片根元
５０５  脆弱部
【図１】
0005830745.tif 000002
【図２】
0005830745.tif 000003
【図３】
0005830745.tif 000004
【図４】
0005830745.tif 000005
【図５】
0005830745.tif 000006
【図６】
0005830745.tif 000007